(57)【要約】【課題】  グリップに新たな機構を追加構成することによって、グリップを握った手が安定し易い、そのような釣り竿のグリップを提供する。【解決手段】  竿軸線Ｘを挟んで下向き面に、グリップ１を握った手の手指を載置する握り溝３Ａを形成するとともに、上向き面に、手の掌を載置する凹入面部３Ｂを形成する。凹入面部３Ｂの竿先端に竿先側の受止突起部３ｃを形成し、凹入面部３Ｂの竿尻端に竿尻側の受止突起部３ｄを形成してある。【選択図】        図１
2008118927.tif 000002
【特許請求の範囲】
【請求項１】
竿軸線を挟んで一方の面に、グリップを握った手の手指を載置する握り溝を形成するとともに、竿軸線を挟んで他方の面に、グリップを握った手の親指と人差し指との間の繋ぎ部分を受け止める受止突起部を形成してある釣り竿のグリップ。
【請求項２】
前記他方の面に、手の掌を載置する凹入面部を形成するとともに、前記凹入面部の竿先端に前記竿先側の受止突起部を形成し、前記凹入面部の竿尻端に竿尻側の受止突起部を形成してある請求項１記載の釣り竿のグリップ。
【請求項３】
前記受止突起部の竿尻側に、その竿尻側ほど竿軸線に近接する傾斜受止面を形成し、前記傾斜受止面でグリップを握る手の掌を受け止めるべく構成してある請求項１記載の釣り竿のグリップ。
【請求項４】
前記釣り竿のグリップにおける断面が、三角形断面部分と半円形断面部分とで構成され、前記三角形断面部分の底辺部分と前記半円形断面部分の直径部分とを重ね合わせた形状を呈している請求項１〜３のうちのいずれか一つに記載の釣り竿のグリップ。
【発明の詳細な説明】
【技術分野】
【０００１】
本発明は、釣り竿のグリップに関する。
【背景技術】
【０００２】
釣り竿のグリップの断面形状として、三角形断面のものを構成したものがあった（特許文献１参照）。
【０００３】
【特許文献１】実公平８−８５３号公報（公報第３欄の第４４行〜第４欄の第２行、及び、図５、７）
【発明の開示】
【発明が解決しようとする課題】
【０００４】
上記構成のものは、グリップの断面を三角形として、円形断面のものに比べて、グリップを握った場合に、竿が竿軸芯回りで回転し難いものとすることができたのである。
しかし、グリップの下向き面が竿尻側に向けて盛り上がる傾斜面を形成しているだけで、グリップの竿先端における断面は円形を呈しており、グリップを握った手が竿先側に移動し易い状態にあり、グリップを握った手が安定し難い面があった。
【０００５】
本発明の目的は、グリップに新たな機構を追加構成することによって、グリップを握った手が安定し易い、そのような釣り竿のグリップを提供する点にある。
【課題を解決するための手段】
【０００６】
〔構成〕
請求項１に係る発明の特徴構成は、竿軸線を挟んで一方の面に、グリップを握った手の手指を載置する握り溝を形成するとともに、竿軸線を挟んで他方の面に、グリップを握った手の親指と人差し指との間の繋ぎ部分を受け止める受止突起部を形成してある点にあり、その作用効果は次の通りである。
【０００７】
〔作用〕
握り溝に載置された手指は、その握り溝に保持されることによって、手指が竿軸線の方向に移動することが規制される。しかも、握り溝を形成した面とは竿軸線を挟んで反対側の面には受止突起部が形成してあるので、その受止突起部に手の親指と人差し指との間の繋ぎ部分が当接し、手の竿先側への移動が規制されている。
【０００８】
〔効果〕
このような構成によって、手の竿軸線方向に沿った移動が規制され、グリップを握った手が安定する。
【０００９】
請求項２に係る発明の特徴構成は、請求項１に係る発明において、前記他方の面に、手の掌を載置する凹入面部を形成するとともに、前記凹入面部の竿先端に前記竿先側の受止突起部を形成し、前記凹入面部の竿尻端に竿尻側の受止突起部を形成してある点にあり、その作用効果は次の通りである。
【００１０】
〔作用効果〕
凹入面部に手の掌部分を落とし込み状態で載置できるので、手の載置状態が安定し、かつ、竿先端の受止突起部と竿尻端の受止突起部とで手の竿軸線方向に沿った移動が規制されるので、手のグリップを握る状態が安定する。しかも、握り溝に載置された手指を強く握って、手の竿軸線方向への移動を規制する必要がないので、握り溝を握る手指への握りに要する負担も軽減でき、握り溝と凹入面部との協働によって、安定した握りが行えるグリップを提供できるに至った。
【００１１】
請求項３に係る発明の特徴構成は、請求項１に係る発明において、前記受止突起部の竿尻側に、その竿尻側程竿軸線に近接する傾斜受止面を形成し、前記傾斜受止面でグリップを握る手の掌を受け止めるべく構成してある点にあり、その作用効果は次の通りである。
【００１２】
〔作用効果〕
グリップにおける手の掌を受け止める部分を、竿尻側ほど竿軸線に近接する傾斜受止面に形成することによって、グリップを握った手の竿先側への移動を受止突起部によって規制するとともに、傾斜受止面が竿尻側に向けて傾斜しているので、竿尻側に位置する肘部分から竿先側に延出された手でグリップを握る際に、手首を大きく屈曲させる必要性が少ないので、手首の負担を軽減した状態でグリップを握り込むことができる。
【００１３】
請求項４に係る発明の特徴構成は、請求項１〜３の内のいずれか一つに係る発明において、前記釣り竿のグリップにおける断面が、三角形断面部分と半円形断面部分とで構成され、前記三角形断面部分の底辺部分と前記半円形断面部分の直径部分とを重ね合わせた形状を呈している点にあり、その作用効果は次の通りである。
【００１４】
〔作用効果〕
しかも、手指に掛かる握り溝部分の形状が、三角形断面に形成されているので、手指によって釣り竿が竿軸芯回りで回転しようとする作動を規制でき、握りを強く握ったり、強く握ることに意を配する必要性が低い。
一方、三角形断面部分の反対側は半円形断面部分に構成されているので、その半円形断面部分に載置される手の掌部分が局部的に強く圧迫されるようなことはなく、手の掌に痛みを感じることなく、長時間に亘って竿を握ることができる。
以上のように、グリップを握った手に対して釣り竿が竿軸線方向だけでなく、竿周方向への移動も規制されるので、釣り竿を握る手が安定し、釣り操作が容易になる。
【発明を実施するための最良の形態】
【００１５】
〔第１実施形態〕
鮎竿、または、渓流竿等に使用されるグリップ１の構造について説明する。図１に示すように、竿素材２のグリップ１の形成位置に、膨出部３を形成する。
【００１６】
竿素材２について説明する。図示はしていないが、次ぎのような製法によって製造される。炭素繊維等の強化繊維を引き揃え、引き揃えた強化繊維にエポキシ等の熱硬化性樹脂を含浸させて、プリプレグシートを構成する。このプリプレグシートを所定形状に裁断し、複数枚の裁断プリプレグシートをマンドレルに巻回し、マンドレルとともに焼成し、所定長さに裁断して、竿素材２を構成する。
【００１７】
図１に示すように、竿素材２のグリップ形成位置に、三角形状に裁断されたプリプレグシートを巻回して、グリップ形成位置における竿軸線に沿った中間位置ほど突出高さの高い膨出部３を形成する。
【００１８】
膨出部３を形成する構造について説明する。図１に示すように、竿軸線Ｘを挟んで一方の面（図面上では下向き面）に、グリップ１を握った手の手指を載置する握り溝３Ａを形成する。握り溝３Ａは、一方の面の略半周より狭い範囲に亘って設けられ、親指から小指に対応して平行な状態で形成されている。
【００１９】
図１に示すように、前記した握り溝３Ａのうち小指を載置する小指用握り溝３ａにおいては、その握り溝３ａの縁部３ｂを径方向外方に突出させてあり、他の指を載置する握り溝３Ａを区画する縁部より突出量を大きく採っている。これによって、小指握り溝３ａに載置された小指は、この縁部３ｂに受止られて、竿尻側への移動が規制される。つまり、縁部３ｂが小指を受け止める下向きの竿尻側の受止突起部となっている。
【００２０】
握り溝３Ａを形成した一方の面と竿軸線Ｘを挟んで反対側の他方の面に設ける構成について説明する。図１に示すように、他方の面（図面上では上向き面）に竿軸線Ｘ側に凹入する凹入面部３Ｂを形成する。凹入面部３Ｂは断面が略円弧状の外形に形成されており、軸線方向に沿った一定長さの幅で形成されている。これによって、グリップ１を握った手の掌を凹入面部３Ｂにあてがって握りを安定させることとしてある。
【００２１】
図１に示すように、凹入面部３Ｂの竿先側、及び、竿尻側には、凹入面部３Ｂを区画する縁部３ｃ、３ｄが立ち上げ形成してあり、竿先側の縁部３ｃでグリップ１を握った手の親指と人差し指との間の繋ぎ部分を受け止める竿先側の受止突起部に形成してある。又、竿尻側の縁部３ｄでグリップ１を握った手の小指を支持する腹部分を受け止める竿尻側の受止突起部に形成してある。
このように、縁部３ｃと縁部３ｄでグリップ１を握った手を位置規制するので、グリップ１を握った手が安定する。
【００２２】
しかも、握り溝３Ａから凹入面部３Ｂに掛けての断面は、次ぎのようになっている。つまり、図２に示すように、握り溝３Ａは、左右の側辺３ｅ、３ｆが下端で合致し、あたかも、三角形の二辺を形成するように傾斜面を形成している。このような断面形状を三角形断面部分３Ｄと称する。一方、凹入面部３Ｂの断面形状は半円弧状を呈しており、この半円弧状面３ｇの両端と握り溝３Ａの三角形の二辺とを連続する状態に繋いだ断面形状となっている。このような断面形状を半円形断面部分３Ｅと称する。
これによって、グリップ１の断面が、三角形断面部分３Ｄと半円形断面部分３Ｅとで構成され、三角形断面部分３Ｄの底辺部分と半円形断面部分３Ｅの直径部分とを重ね合わせた形状を呈することとなる。
【００２３】
以上のような構成により、凹入面部３Ｂに掌をあてつけ握り溝３Ａに手指を沿わせた状態で握り込むことによって、グリップ１を握り込んだことになり、この状態においては、前記したように、凹入面部３Ｂの凹入形状によって握り易くなっているとともに、竿先側の受止突起部（縁部３ａ）と竿尻側の受止突起部（縁部３ｂ）とによって、竿軸線Ｘ方向に沿った移動が規制され、この面からも握りが安定する。
【００２４】
一方、手指は夫々の握り溝３Ａ内に収まり、ここでも、握り状態が安定するとともに、小指用握り溝３ａの竿尻側の受止突起部（縁部３ｂ）によって竿尻側への移動が規制され、この面でも握りが安定する。
【００２５】
〔第２実施形態〕
図３に示すように、竿素材２のグリップ形成位置に膨出部３を設けるとともに、竿軸線Ｘを挟んで一方の面には握り溝３Ａを形成し、他方の面に手の掌を受ける載置面３Ｃを設けてある。他方の面に形成された載置面３Ｃは、第１実施形態の凹入面部３Ｂとは異なる形状のものである。
【００２６】
つまり、載置面３Ｃは、膨出部３の竿先側端部には、第１実施形態で示した縁部３ｃを設けてあり、この縁部３ｃが盛り上がり状態を呈して、グリップ１を握った手の親指と人差し指とを繋ぐ部分をこの縁部３ｃで受止め、グリップ１を握った手指の竿先側への移動を規制している。
【００２７】
図３に示すように、載置面３Ｃは、縁部３ｃから竿尻側に向けて徐々に竿軸線Ｘに近接する傾斜受止面に形成されており、竿軸線Ｘに対して傾斜角θで傾斜している。これによって、グリップ１を握った手は、親指側が竿軸線Ｘから離れ、小指側程竿軸線Ｘに近接するように、竿軸線Ｘに対して傾斜する姿勢となる。そうすると、グリップ１を握る為に、手首の屈曲角度を大きく採る必要がなく、手首に掛かる負担が軽減する。
【００２８】
〔別実施形態〕
（１）  前記した第１実施形態においては、グリップ１の一面に形成された凹入面部３Ｂの竿先側端と竿尻側端とに縁部３ｃ、３ｄを構成して、グリップ１を握った手指の移動を規制し、握りの状態を安定する構成を採っているが、縁部の構成としては、少なくとも竿先側端の縁部３ｃを形成すればよい。
（２）  前記した第２実施形態においては、第１実施形態において構成した縁部３ｄを形成していないが、載置面３Ｃの竿尻端に縁部３ｄを形成してもよい。
（３）  上記構成のものは、リールシートを有している竿に適用してもよい。
【図面の簡単な説明】
【００２９】
【図１】第１実施形態の凹入面部を形成した釣り竿のグリップを示す側面図
【図２】釣り竿のグリップの縦断正面図
【図３】第２実施形態の載置面を形成した釣り竿のグリップを示す側面図
【符号の説明】
【００３０】
１            グリップ
３Ａ          握り溝
３Ｂ          凹入面部
３Ｃ          傾斜受止面
３Ｄ          三角形断面部分
３Ｅ          半円形断面部分
３ｂ          受止突起部
３ｃ          竿先側の受止突起部
３ｄ          竿尻側の受止突起部
【図１】
2008118927.tif 000003
【図２】
2008118927.tif 000004
【図３】
2008118927.tif 000005